(57)【要約】      （修正有）【課題】バストを持ち上げて高い位置に造形可能であり、かつ重みでバストが脇側に流れることを抑制可能なカップ部を有する衣類を提供する。【解決手段】カップ支持部１０２はカップ部１０１の刳り部１０２Ａに沿うようにしてカップ部に接続され、バック部１０３はカップ支持部の脇側に取り付けられ、ストラップ部１０４はカップ部の上部に取り付けられ、難伸縮性又は非伸縮性のリフトアップ布１０６と、補強部材１０５を含み、リフトアップ布上端はストラップ部と連結し、リフトアップ布の下辺は刳り部と連結し、リフトアップ布は、刳り部及びストラップ部に連結している部分以外の少なくとも一部がカップ部から遊離し、補強部材は刳り部の脇側部分に隣接する位置から脇側へ向かって斜め下方に傾斜するように配置され、リフトアップ布と刳り部との脇側連結端部は、刳り部における補強部材上端連結部若しくは補強部材上端連結部近傍と連結している。【選択図】図１
2015212437.tif 000002
【特許請求の範囲】
【請求項１】
カップ部を有する衣類であって、
一対のカップ部、前記カップ部を支持するカップ支持部、バック部およびストラップ部を含み、
前記カップ支持部は、前記一対のカップ部の刳り部に沿うようにして前記カップ部に接続されており、
前記バック部は、前記カップ支持部の脇側に取り付けられ、
前記ストラップ部は、前記一対のカップ部の上部に取り付けられ、
さらに、難伸縮性又は非伸縮性のリフトアップ布と、補強部材とを含み、
前記リフトアップ布は、前記カップ部の表側に配置されており、
前記リフトアップ布の上端は、前記ストラップ部と連結しており、前記リフトアップ布の下辺は、前記刳り部と連結し、
前記リフトアップ布は、前記刳り部及び前記ストラップ部にそれぞれ連結している部分以外の少なくとも一部が前記カップ部から遊離するように形成されており、
前記補強部材は、前記刳り部の脇側部分に隣接する位置から脇側へ向かって斜め下方に傾斜するように配置されており、
前記リフトアップ布と前記刳り部との脇側連結端部は、前記刳り部における前記補強部材上端連結部若しくは前記補強部材上端連結部近傍と連結していることを特徴とするカップ部を有する衣類。
【請求項２】
前記カップ支持部は、難伸縮性部材又は非伸縮性部材で形成され、前記バック部は、伸縮性部材で形成されている請求項１記載のカップ部を有する衣類。
【請求項３】
前記リフトアップ布の脇側の上辺に補強テープが配置されている請求項１又は２記載のカップ部を有する衣類。
【請求項４】
前記補強部材は、ボーンを含む部材である、請求項１から３のいずれか一項に記載のカップ部を有する衣類。
【請求項５】
前記リフトアップ布の前記刳り部との連結している前中心側端部は、前記カップ部のバージスラインの最下点と前記カップ部の前中心側端部との距離の、前記最下点を起点とした１／３〜２／３の範囲に配置されている請求項１から４のいずれか一項に記載のカップ部を有する衣類。
【請求項６】
前記衣類が、ブラジャーである請求項１から５のいずれか一項に記載のカップ部を有する衣類。
【請求項７】
前記衣類が、キャミソールである請求項１から５のいずれか一項に記載のカップ部を有する衣類。
【発明の詳細な説明】
【技術分野】
【０００１】
本発明は、カップ部を有する衣類に関する。
【背景技術】
【０００２】
従来、カップ部を有する衣類（例えば、ブラジャー）において、バストの位置を上方に持ち上げ、バストを豊かに盛り上げるために、リフトアップ布をカップ部の表側に設けたブラジャーが知られている。前記ブラジャーとして、例えば、特許文献１記載のブラジャーでは、前記リフトアップ布は、肩ストラップとカップ刳りとの間に設けられており、ブラジャーのカップ部の下側から外側を一面的に覆うように斜めに架け渡されている。これにより、着用時には、前記肩ストラップの引きで、前記リフトアップ布により、バストをその膨らみに合わせて全体的に上方に持ち上げることができる。
【先行技術文献】
【特許文献】
【０００３】
【特許文献１】特許第２５７６９４９号公報
【発明の概要】
【発明が解決しようとする課題】
【０００４】
しかしながら、前記ブラジャーの構成では、カップ部が保持しているバストの重みに押圧され脇側に流れるという問題がある。そのため、バストを高い位置に持ち上げてもバストの造形性が不十分であり、バストが脇側に流れてしまうため、着用感がすっきりしないという問題があった。
【０００５】
そこで、本発明は、バストを持ち上げて高い位置に造形可能であり、かつバストの重みに押圧され脇側に流れることを抑制可能なカップ部を有する衣類を提供することを目的とする。
【課題を解決するための手段】
【０００６】
前記目的を達成するために、本発明のカップ部を有する衣類は、
カップ部を有する衣類であって、
一対のカップ部、前記カップ部を支持するカップ支持部、バック部およびストラップ部を含み、
前記カップ支持部は、前記一対のカップ部の刳り部に沿うようにして前記カップ部に接続されており、
前記バック部は、前記カップ支持部の脇側に取り付けられ、
前記ストラップ部は、前記一対のカップ部の上部に取り付けられ、
さらに、難伸縮性又は非伸縮性のリフトアップ布と、補強部材とを含み、
前記リフトアップ布は、前記カップ部の表側に配置されており、
前記リフトアップ布の上端は、前記ストラップ部と連結しており、前記リフトアップ布の下辺は、前記刳り部と連結し、
前記リフトアップ布は、前記刳り部及び前記ストラップ部にそれぞれ連結している部分以外の少なくとも一部が前記カップ部から遊離するように形成されており、
前記補強部材は、前記刳り部の脇側部分に隣接する位置から脇側へ向かって斜め下方に傾斜するように配置されており、
前記リフトアップ布と前記刳り部との脇側連結端部は、前記刳り部における前記補強部材上端連結部若しくは前記補強部材上端連結部近傍と連結していることを特徴とする。
【発明の効果】
【０００７】
本発明のカップ部を有する衣類は、バストを持ち上げて高い位置に造形可能であり、かつバストの重みに押圧され脇側に流れることを抑制可能である。さらに、本発明では、バストが脇側に流れることを抑制できることに加えて、前中心側にバストを寄せる効果もある。
【図面の簡単な説明】
【０００８】
【図１】図１は、本発明の第１の実施形態に係るブラジャー１００を示す図である。図１（ａ）は、ブラジャー１００の斜視図であり、図１（ｂ）は、ブラジャー１００をＩ−Ｉ方向に見た断面図であり、図１（ｃ）は、図１（ａ）における破線領域の拡大図である。図１（ｄ）は、図１（ａ）における二点鎖線領域の拡大図であり、図１（ｅ）は、図１（ｄ）のＩＩ−ＩＩ方向に見た断面図である。
【図２】図２（ａ）は、着用時のブラジャー１００の斜視図であり、図２（ｂ）は、同図（ａ）のブラジャー１００のIII−III方向に見た断面図である。
【図３】図３は、本発明の第１の実施形態に係るブラジャー１００の変形例の一例を示す斜視図である。
【図４】図４は、本発明の第１の実施形態に係るブラジャー１００の変形例の別の一例を示す斜視図である。
【図５】図５は、本発明の第１の実施形態に係るブラジャー１００の変形例の別の一例を示す斜視図である。
【図６】図６は、本発明の第１の実施形態に係るブラジャー１００の変形例の別の一例を示す斜視図である。
【図７】図７は、本発明の第１の実施形態に係るブラジャー１００の変形例の別の一例を示す斜視図である。
【図８】図８（ａ）及び（ｂ）は、本発明の第２の実施形態に係るキャミソール２００及び３００を示す斜視図である。
【発明を実施するための形態】
【０００９】
本発明のカップ部を有する衣類について、例をあげて説明する。ただし、本発明は、以下の例に限定及び制限されない。なお、下記図１〜図８において、同一部分には同一の符号を付している。
【００１０】
［第１の実施形態］
図１に、本発明のカップ部を有する衣類の第１の実施形態に係るブラジャー１００を示す。図１（ａ）は、ブラジャー１００の斜視図であり、図１（ｂ）は、ブラジャー１００をＩ−Ｉ方向に見た断面図であり、図１（ｃ）は、図１（ａ）における破線領域の拡大図である。図１（ｄ）は、図１（ａ）における二点鎖線領域の拡大図であり、図１（ｅ）は、図１（ｄ）のＩＩ−ＩＩ方向に見た断面図である。
【００１１】
本実施形態のブラジャー１００は、一対のカップ部１０１、一対のカップ支持部１０２、一対のバック部１０３および一対のストラップ部１０４を備えた、いわゆる３／４カップタイプのブラジャーである。一対のカップ部１０１の下縁には、カップ支持部１０２が配置されており、一対のカップ支持部１０２の脇側には、バック部１０３が取り付けられている。カップ支持部１０２は、例えば、カップ部１０１と接ぎ合わせられている部分に刳り部１０２Ａが形成されており、刳り部１０２Ａは、例えば、ワイヤーをテープ部材で包んで形成されている。また、刳り部１０２Ａは、例えば、カップ支持部１０２のバージスラインに沿う部分に形成されている。カップ支持部１０２は、さらに、土台部１０２Ｂを有しており、前記土台部１０２Ｂは、前記刳り部１０２Ａの下縁に配置されている。そして、カップ部１０１の表側にリフトアップ布１０６が配置されている。リフトアップ布１０６の上端は、ストラップ部１０４と連結しており、リフトアップ布１０６の下辺は、刳り部１０２Ａの一部と連結している。前記「端」とは、特に制限されず、例えば、同図に示すような辺であっても良いし、点であっても良い。前記「辺」とは、特に制限されず、例えば、同図に示すように湾曲した線であっても良いし、直線であっても良い。そして、土台部１０２Ｂの脇側端部には、補強部材１０５が取り付けられており、補強部材１０５を介して土台部１０２Ｂとバック部１０３とが、連結している。補強部材１０５は、ボーンをテープ状部材で包んで形成されている。一対のバック部１０３の他端は、連結係止部１０７が取り付けられており、着脱自在になっている。前記連結係止部１０７は、本実施形態のブラジャー１００を着用者が着用したときに、着用者の背中の中央付近となる位置に設けられている。尚、本実施形態において、刳り部は、ワイヤーを使用しているが、本発明の衣類は、これに限定されず、ノンワイヤータイプのものであっても良い。
【００１２】
本実施形態において、同図（ａ）〜（ｅ）に示すように、リフトアップ布１０６の上辺Ｌは、カップ部１０１から遊離している。また、リフトアップ布１０６の上辺Ｌの一端は、バージスラインの最下点Ｐと、カップ部１０１の前中心側端部Ｓとの距離の、前記最下点Ｐを起点とした中点に配置されている。前記上辺Ｌは、前記一端からバストトップの下側を通り、他端が、前記ストラップ部の一端の上部に配置されるようにして架け渡されている。但し、本発明において、前記辺Ｌの一端の位置は、前記刳り部に連結されていれば、特に制限されない。
【００１３】
本実施形態において、補強部材１０５は、刳り部１０２Ａの脇側部分に隣接する位置から脇側へ向かって斜め下方に傾斜するように配置されている。補強部材１０５の上端は、刳り部１０２Ａの脇側部分で連結している。ここでいう「脇側部分」とは、特に制限されず、例えば、前記最下点Ｐよりも脇側の部分をいう。
【００１４】
前記補強部材１０５は、特に制限されないが、例えば、芯地、テープ状部材、可撓性を有する樹脂または金属等のいずれか１つを用いて形成する、または、いずれか２つ以上のものを組み合わせて、縫着、接着、その他の固着手段を用い土台部１０２Ｂに取り付けてもよい。なお、本実施形態では、補強部材１０５はボーンを含む例を挙げているが、ブラジャーの仕様によってはボーンを含まないものとしてもよい。
【００１５】
同図（ａ）に示すように、リフトアップ布１０６の下辺の刳り部との脇側連結端部Ｊは、補強部材上端連結部と連結している（以下、前記脇側連結端部と、補強部材上端連結部との連結部分を、単に「連結部」ということがある）。但し、本実施形態において、前記脇側連結端部Ｊは、前記補強部材上端連結部近傍と連結していても良い。ここでいう「近傍」とは、特に制限されず、例えば、前記ボーン上端連結部を起点とした１０ｍｍ以内の範囲であり、なお好ましくは７ｍｍ以内の範囲である。
【００１６】
次に、本実施形態のブラジャー１００を着用した際のバストに対する力の作用について図２を用いて説明する。図２（ａ）は、着用時のブラジャー１００の斜視図であり、図２（ｂ）は、同図（ａ）のブラジャー１００のIII−III方向に見た断面図である。同図（ｂ）に示すように、着用時に、リフトアップ布１０６の上辺Ｌは、カップ部１０１と当接する。そして、リフトアップ布１０６は、バストにフィットしたブラジャー１００を刳り部１０２Ａごと持ち上げる。これにより、ストラップ部１０４の引きだけに頼ることなく、バスト位置を高く持ち上げることが出来る。また、肩ストラップの引きで、リフトアップ布による、カップ部１０１を脇側から押さえつける力が働き、これにより、バストを前中心側に寄せる効果があり、その結果、豊かな谷間を造ることができる。
【００１７】
また、図１に示すように、リフトアップ布１０６の前記連結部Ｊは、刳り部１０２Ａのバージスラインの最下点Ｐから脇側端部Ｔにおいて、最下点Ｐから約２／３の距離の位置に配置されている。これにより、リフトアップ布の脇側部分の引き上げ力が大きくなるため好ましい。但し、前記連結部Ｊの位置は、前記刳り部１０２Ａの脇側部分であれば、特に制限されない。具体的には、例えば、本実施形態のブラジャーは、図３に示すブラジャー１００のように、前記連結部Ｊの位置を、前記脇側端部Ｔの位置としても良いし、図４に示すブラジャー１００のように、前記連結部Ｊの位置を、前記最下点Ｐから脇側端部Ｔにおいて、最下点Ｐから約１／２の距離の位置としても良い。また、前記連結部Ｊの位置を、前記最下点Ｐと、前記脇側端部Ｔとの間の辺の任意の位置としても良い。なお、図３、４において、図１に示すブラジャー１００と同一の構成要素については、図１と同一の符号を付けている。
【００１８】
また、リフトアップ布１０６の下辺の刳り部との前記脇側連結端部Ｊは、補強部材上端連結部近傍と連結している。これにより、リフトアップ布１０６と連動した位置で土台部１０２Ｂと連結して、図３に示すように、略三角形形状を作る。ここでいう「略三角形形状」とは、特に制限されず、略三角形を構成する各辺が、厳密に直線でなくても良く、湾曲しても良く、折れ曲がっていても良く、また、略三角形の各頂点は、厳密に三点でなくても良い。具体的には、図４に示すように、前記リフトアップ布１０６の脇側の上辺Ｍ及び補強部材で構成される前記略三角形の一辺が、折れ曲がっていても良い。これにより、脇側からバストを支えて安定させるとともに、刳り部がバックに引かれて脇に広がる現象を抑えることが出来る。なお、リフトアップ布１０６の引き上げ力を大きくしたい場合等には、リフトアップ布を上辺で折り返して２重構造としてもよい。
【００１９】
本実施形態において、さらに、図１に示すように、リフトアップ布１０６の脇側の上辺Ｍに非伸縮性のテープ（補強テープ）１０９が配置されていることが好ましい。同図に示すように、リフトアップ布１０６の脇側の上辺Ｍにテープ１０９が、ストラップ部１０４と補強部材１０５とをつなぐように配置されている。これにより、バストの脇側部分に押圧力が集中的に作用する。これにより、リフトアップ布１０６の脇側部分がしっかりとバストを押圧できるため、脇流れをより確実に抑制できる。また、図１に示すように、リフトアップ布１０６の脇側の上辺Ｍは、肩ストラップ１０４からテープ１０９を経由して補強部材１０５に到る構成をとる。前記構成により、着用状態におけるバストに押されてカップが脇側に少し倒れ込む、いわゆるカップの転び方向に対してほぼ正反対の方向に引き上げ力を作用させることができる。これにより、カップの転びを抑制することにより、脇流れを効果的に抑制可能である。なお、例えば、バック部の幅が通常よりも広くなるように設計された脇高タイプのブラジャーに本発明の構成を適用すれば、上記同様にバストの脇流れを好適に抑制することもできる。
【００２０】
本実施形態では、非伸縮性のテープ１０９を用いているが、本発明はこれに限定されるものではない。例えば、ブラジャーの仕様によっては難伸縮性または伸縮性のテープ状部材を用いるようにしてもよい。また、リフトアップ布１０６の生地の仕様に応じて補強テープを用いる必要が無い場合は、テープ１０９を用いないものとしてもよい。
【００２１】
一般的に、バストの位置を高くキープするためには、バストの根本（土台）から上方に引き上げることが好ましい。このため、図１に示すように、テープ１０９の下端は、刳り部１０２Ａに連結されている。このような構成により、ストラップの引き上げる力により、刳り部１０２Ａを効率良く上方に引き上げることによりバスト位置を高く保ちつつ、バストを造形することができる。
【００２２】
本実施形態において、リフトアップ布１０６の上辺Ｌの一端は、バージスラインの最下点Ｐと、カップ部１０１の前中心側端部Ｓとの距離の、前記最下点Ｐを起点とした中点に配置されている。これにより、バストをより前中心側に寄せる効果を奏する。但し、本実施形態において、前記辺Ｌの一端の位置は、前記中点に配置されることに限定されず、例えば、前記辺Ｌの一端の位置は、前記距離の、前記最下点Ｐを起点とした１／３〜２／３の範囲内に配置されていても良い。具体的には、図５に示すブラジャー１００のように、リフトアップ布１０６の上辺Ｌの一端は、バージスラインの最下点Ｐと、カップ部１０１の前中心側端部Ｓとの距離の、前記最下点Ｐを起点とした１／３の位置Ｑに配置されていてもよい。また、図６に示すブラジャー１００のように、リフトアップ布１０６の上辺Ｌの一端は、バージスラインの最下点Ｐと、カップ部１０１の前中心側端部Ｓとの距離の、前記最下点Ｐを起点とした２／３の位置Ｒに配置されていても良い。尚、図５及び図６において、図１に示すブラジャー１００と同一の構成要素については、図１と同一の符号をつけている。
【００２３】
本実施形態において、さらに、土台部１０２Ｂが、難伸縮性部材又は非伸縮性部材で構成されており、前記バック部は、伸縮性部材で構成されていることが好ましい。これにより、着心地を損なうことなく、ワイヤーが脇側に広がることを抑制できる。前記難伸縮性部材又は非伸縮性部材の素材としては、特に制限されないが、例えば、マーキジット、柄マーキ、レース、チュールネット、トリコネット、天竺等が挙げられる。前記伸縮性部材としては、特に制限されないが、例えば、パワーネット、ツーウェイトリコット、ベア天竺等が挙げられる。
【００２４】
前記リフトアップ布１０６の非伸縮性若しくは難伸縮性素材としては、特に制限されないが、例えば、チュール、マーキ、レース、オールオーバーのレース、柄マーキ等が挙げられる。
【００２５】
前記土台部１０２Ｂの非伸縮性若しくは難伸縮性素材としては、特に制限されないが、例えば、チュール及びマーキの組合せ、レース及びマーキの組合せ、オールオーバーのレース、柄マーキ等が挙げられる。
【００２６】
本実施形態のブラジャーでは、バック部１０３の連結係止部として、ホック（例えば、フック・アンド・アイ（鈎ホック））を使用することができるが、他の種類の係止具を使用してもよい。また、バック部１０３が連結係止部を有していなくてもよい。例えば、連結係止部を前中心に設けてフロントホックタイプとしてもよい。また、連結係止部がないタイプ、バック部を結んで係止するタイプであってもよい。
【００２７】
前記連結係止部としては、ホック（例えば、フック・アンド・アイ（鈎ホック））、グリッパー、ボタン、紐、面ファスナーなどを、デザインや用途に応じて適宜選択して使用することができる。なお、上記のフック・アンド・アイやグリッパー、ボタンを用いる場合には、複数の留め位置を予め設けておくことにより、締め付け具合を微調整できるようにしておくことも好ましい。なお、上記以外の他の種類の係止具を使用してもよい。
【００２８】
本実施形態においては、ストラップ部１０４の一端はカップ部１０１に取り付けられ、他端はバック部１０３の上辺部に取り付けられた円環、Ｚ環、エイト環などの係止具１０８Ｂを通って反転し、エイト環からなる長さ調節具１０８Ａに導入されることによって、ストラップ部１０４の長さ調整が可能な状態で、ストラップ部１０４の他端側が、バック部１０３の上辺部に取り付けられている。また、ストラップ部１０４の一端は、バック部１０３の上辺部に直接固着されても良い。ストラップ部１０４の態様はこれに限定されず、例えば、前記一対のカップ部１０１の上部同士を互いに繋ぐように取り付けられている、いわゆる「ホルターネック」タイプであってもよい。ストラップ部１０４の取り付け位置は、カップ部１０１の形状やブラジャーのデザインによって決定することができる。ストラップ部１０４は、カップ部１０１を肩から吊り下げるものであればよい。紐や布テープであってもよいし、タンクトップのような幅の広い、いわゆるラウンドタイプのストラップであってもよい。ストラップ部１０４の態様は、一対のカップ部１０１に対応して一対のストラップ部１０４をそれぞれカップ部１０１上部とバック部１０３に取り付ける態様に限定されず、例えば、スポーツタイプのブラジャーのストラップ部のように、背中側で２本のストラップ部１０４が一体となりバック部１０３に取り付けられる態様であってもよい。
【００２９】
なお、本実施形態では、ブラジャー１００は、土台部１０２Ｂを介して、左右の刳り部１０２Ａが連結されるとともに、土台部１０２Ｂとバック部１０３とが補強部材１０５を介して連結されている例を挙げて説明した。しかし、本発明は、これに限定されるものではない。例えば、土台部１０２Ｂを備えない、いわゆるメガネタイプのブラジャーとしてもよい。より具体的には、バック部１０３がカップ支持部１０２に直接連結されるように前方へ延び、左右のカップ支持部１０２の前中心側部分同士を連結する連結部材を別途備える態様とすることができる。
【００３０】
以上、第１の実施形態としては、３／４カップのブラジャーを例示して説明したが、本発明は、フルカップや１／２カップのブラジャー等にも適用することができる。ただし、１／２カップのブラジャーの場合、ストラップ部の引き上げ力が弱いため、３／４カップ、フルカップのブラジャーがより好ましい。
【００３１】
また、第一の実施形態として、カップ部の形状も、例えば、図１に示すカップ部を例示して説明したが、本発明は、前記形状に限定されず、例えば、図７に示すブラジャー１００のカップ部１０１のような構成としても良い。具体的には、同図に示すカップ部１０１は、ストラップ部１０４の一端と連結するための上側に凸の上端（同図で示す破線部）部１０１Ａを備えている。そして、同図に示すように、前記上端部１０１Ａとストラップ部１０４との連結部分の上方に、リフトアップ布１０６Ａの上端が連結している。
【００３２】
本発明において、前記カップ部１０１のデザインは、特に制限されず、例えば、上カップ部と下カップ部を接ぎ合わせて形成されたものでも良いし、接ぎ目のないモールドタイプのものであってもよいし、カットソータイプのものであってもよい。
【００３３】
また、前記カップ部１０１の素材としては、特に制限されないが、例えば、ウレタンフォーム、不織布、ポリウレタンなどの高弾性糸から編成された厚手シート状の丸編素材（ダンボールニット）等が挙げられる。
【００３４】
さらに、本発明は、カップ部からカップ支持部まで一体で成型されている態様であってもよい。
【００３５】
（第２の実施形態）
図８に、本発明のカップ部を有する衣類の第２の実施形態に係るキャミソール２００及び３００を示す。図８（ａ）は、ブラジャー相当部分が衣類の表側に配置されたキャミソール２００の斜視図であり、図８（ｂ）は、ブラジャー相当部分が肌側に配置されたキャミソール３００の斜視図である。
【００３６】
同図に示すキャミソール２００のブラジャー相当部分は、図１で説明したブラジャー１００とほぼ同一の概念のもとに設計されている。本態様においては、前記キャミソール２００が、前記土台部及びバック部の下側にスカート部２０１を有している。その他の態様は、図１に示したブラジャー１００と実質上同一であり、同一部分には同一の符号を付して、重複する説明を省略している。
【００３７】
以上、実施形態の具体例として、ブラジャー、キャミソールをあげて本発明を説明したが、本発明のカップ部を有する衣類は、こられの具体例で記載されたもののみに限定されず、種々の態様が可能である。例えば、上記の実施形態のような衣類以外にも、ボディスーツ、ブラスリップ、セパレートタイプの水着のトップ部、レオタード、その他各種のカップ部を有する衣類に適用できる。また、前中心を係脱自在のホックで連結するフロントホックタイプの衣類にも適用できる。
【産業上の利用可能性】
【００３８】
本発明のカップ部を有する衣類は、バストを持ち上げて高い位置に造形可能であり、かつ重みでバストが脇側に流れることを抑制可能であり、用途は限定されず広い分野で使用することができる。
【符号の説明】
【００３９】
１００          ブラジャー
２００、３００  キャミソール
１０１          カップ部
１０１Ａ        上端
１０２          カップ支持部
１０２Ａ        刳り部
１０２Ｂ        土台部
１０３          バック部
１０４          ストラップ部
１０５          補強部材
１０６          リフトアップ布
１０７          連結係止具
１０８Ａ        調節具
１０８Ｂ        係止具
１０９          テープ（補強テープ）
２０１、３０１  スカート部
Ｌ              上辺
Ｍ              脇側の上辺
Ｐ              最下点
Ｑ、Ｒ          位置
Ｓ              前中心側端部
Ｔ              脇側端部
Ｊ              連結部
【図１】
2015212437.tif 000003
【図２】
2015212437.tif 000004
【図３】
2015212437.tif 000005
【図４】
2015212437.tif 000006
【図５】
2015212437.tif 000007
【図６】
2015212437.tif 000008
【図７】
2015212437.tif 000009
【図８】
2015212437.tif 000010